(57)【要約】【課題】  少量の液体試料を生体から直接採取して視認性に優れ、診断時間の短縮を可能とした充分な検出結果を得ることができ、且つ生体に直接接触しても衛生面での問題がなく、生体への負担を少なくすることが可能な検出装置及び検出方法を提供する。【解決手段】  液体試料中の被検出物質を検出するストリップ形状の検出装置であって、生体から液体試料を直接採取する採取部材と、標識試薬が保持されている保持部材と、検出試薬が固定されている検出部材と、液体試料を吸収可能な吸収部材と液不透過性の支持部材とを備え、上記各部材は、これらの部材の中を液体試料が移動するように支持部材上で検出装置の長手方向に配列されており、保持部材に用いられている標識試薬が、マルチポッド状の金コロイドであり、保持部材が検出部材の一部と重なり合う部分を有する、検出装置。【選択図】  図１
2013124867.tif 000002
【特許請求の範囲】
【請求項１】
液体試料中の被検出物質を検出するストリップ形状の検出装置であって、
生体から前記液体試料を直接採取する採取部材と、
前記被検出物質と特異的に結合する標識試薬を含み、該標識試薬が前記液体試料の移動と共に移動することができる状態で保持されている保持部材と、
前記被検出物質と特異的に結合することにより前記被検出物質と前記標識試薬との結合体を捕捉する検出試薬を含み、該検出試薬が固定されている検出部材と、
前記液体試料を吸収可能な吸収部材と、
液不透過性の支持部材とを備え、
前記採取部材、前記保持部材、前記検出部材及び前記吸収部材は、これらの部材の中を前記液体試料が毛細管現象によりこの順序で移動するように、前記支持部材上で前記検出装置の長手方向に配列される構成を有する検出装置であり、
前記標識試薬がマルチポッド状の金コロイドであり、
前記保持部材が前記検出部材の一部と重なり合う部分を有する、検出装置。
【請求項２】
前記採取部材が、前記液体試料の移動方向における上流側に、前記支持部材からはみ出して突出する突出部分を含む、請求項１に記載の検出装置。
【請求項３】
前記保持部材が前記検出部材の一部と重なり合う部分の前記重なり合う部分の長手方向に沿った長さが、前記保持部材のうち前記標識試薬が保持されている部分の長手方向に沿った長さ以上である、請求項１又は２に記載の検出装置。
【請求項４】
前記採取部材及び前記保持部材が単一の繊維基材を共有し、前記繊維基材の前記移動方向における下流側の端部に前記標識試薬が保持されることにより前記保持部材が形成されている、請求項１〜３のいずれか一項に記載の検出装置。
【請求項５】
前記重なり合う部分の長手方向に沿った長さが、前記保持部材のうち前記標識試薬が保持されている部分の長手方向に沿った長さより長い、請求項４に記載の検出装置。
【請求項６】
前記重なり合う部分の、長手方向に沿った長さが３〜５ｍｍである、請求項１〜５に記載の検出装置。
【請求項７】
前記採取部材、前記保持部材及び前記検出部材の、前記長手方向に直交する方向における最大幅が０．８ｍｍ〜３ｍｍである、請求項１〜６のいずれか一項に記載の検出装置。
【請求項８】
前記検出部材が、前記標識試薬と特異的に結合する対照試薬を更に含み、前記対照試薬が前記検出試薬よりも前記下流側に固定されている、請求項１〜７のいずれか一項に記載の検出装置。
【請求項９】
前記突出部分の長さが５ｍｍ以上である、請求項１〜８のいずれか一項に記載の検出装置。
【請求項１０】
前記採取部材の前記下流側の端部、前記保持部材、及び前記検出部材の前記上流側の端部の、前記支持部材とは反対側の表面に接着する第１の接着部材を更に備え、その第１の接着部材は、前記表面に接着する接着面とは反対側に非接着面を有する、請求項１〜９のいずれか一項に記載の検出装置。
【請求項１１】
前記検出部材の前記下流側の端部、前記吸収部材、及び前記支持部材の前記下流側の端部を挟み込むように接着する第２の接着部材を更に備え、その第２の接着部材は、前記各部材に接着する接着面とは反対側に非接着面を有する、請求項１〜１０のいずれか一項に記載の検出装置。
【請求項１２】
前記支持部材が、前記検出部材の裏打ちを兼ねる第１の支持体と、前記第１の支持体の前記検出部材とは反対側に設けられた第２の支持体と、を含む、請求項１〜１１のいずれか一項に記載の検出装置。
【請求項１３】
前記第２の支持体が、前記第１の支持体と重なる部分で前記長手方向に分離している、請求項１２記載の検出装置。
【請求項１４】
前記支持部材が、前記標識試薬による捕捉発色を強調する機能を有する、請求項１〜１３のいずれか一項に記載の検出装置。
【請求項１５】
前記支持部材の前記検出部材とは反対側に、前記標識試薬による捕捉発色を強調する機能を有する背景部材を更に備える、請求項１〜１４のいずれか一項に記載の検出装置。
【請求項１６】
前記背景部材が、前記支持部材側に接着面を有する紙製のテープであって、
前記支持部材が前記背景部材よりも前記上流側に２ｍｍ以上延在する、請求項１５記載の検出装置。
【請求項１７】
検出装置の質量が０．８ｇ以下である、請求項１〜１６のいずれか一項に記載の検出装置。
【請求項１８】
前記生体がヒトであり、前記液体試料が涙液である、請求項１〜１７のいずれか一項に記載の検出装置。
【請求項１９】
前記被検出物質がＩｇＥ抗体であり、前記標識試薬がＩｇＥ抗体を抗原とする抗体を標識物質により標識したものであり、前記検出試薬は前記標識試薬が有する抗体とは異なる認識部位を含む、ＩｇＥ抗体を抗原とする抗体であり、前記対照試薬は前記標識試薬が有する抗体を抗原とする抗体である、請求項１〜１８のいずれか一項に記載の検出装置。
【請求項２０】
請求項１〜１９のいずれか一項に記載の検出装置を用いて、液体試料中の被検出物質を検出する、検出方法。
【発明の詳細な説明】
【技術分野】
【０００１】
本発明は、検出装置及び検出方法に関する。
【背景技術】
【０００２】
生体由来の液体試料中の被検出物質を検出するストリップ形状の検出装置としては、例えば、特許文献１〜３に記載の装置が知られている。一般に、生体由来の液体試料中の被検出物質を検出するには、生体から液体試料を採取し、採取した液体試料を、希釈、抽出等の所定の処置に付した後、上記装置に適用するという、複数の工程を経る煩雑な操作が必要である。
【０００３】
そこで、工程を簡略化する手段として、例えば特許文献４に開示されているように、試料を生体から直接採取する検出装置が提案されている。さらに、特許文献５では、狭幅のストリップ状の検出装置により、少量の液体試料を生体から直接採取できる検出装置が提案されている。また検出装置自体の衛生面が考慮された特許文献６のような検出装置も提案されている。
【０００４】
従来のストリップ形状の検出装置では被検出物質を検出する試薬として、被検出物質と特異的に結合するような試薬を提示した特許文献７のような球状金コロイドや、目視で診断する際の視認性を向上させた特許文献８のような白金コロイドならびに検出装置が提案されている。
【先行技術文献】
【特許文献】
【０００５】
【特許文献１】特許第２９１９３９２号公報
【特許文献２】特許第２８９０３８４号公報
【特許文献３】特開２００３−１２１４４５号公報
【特許文献４】特表２００５−５２９３０５号公報
【特許文献５】特開２００９−８５８３９号公報
【特許文献６】特開２０１１−１７９９５５号公報
【特許文献７】特許第３８５９０２７号公報
【特許文献８】特開２０１１−２０９０６９号公報
【発明の概要】
【発明が解決しようとする課題】
【０００６】
従来、液体試料を生体から直接採取する際には、検出装置が生体に接触することにより、生体が痛み等の苦痛を感じる場合がある。また、検出装置が直接生体に接触するので、検出装置自体の衛生面に関する安全性が問われている。さらに、多量の液体試料を採取するには、長時間にわたり検出装置を生体に接触させる必要があり、生体への負担が更に大きくなる。一方で、生体への負担を軽減するために生体と検出装置との接触時間を短くすると、充分な量の液体試料を得ることが困難となり、その結果、測定値にばらつきが生じ、充分な検出結果が得られなくなる。このように、従来、液体試料を生体から直接採取する際には、生体への負担が大きい、試料の採取量が少ない、検出感度が低い等の問題があった。
【０００７】
この点、特許文献４には、液体試料を採取する部分の素材に関して、特許文献５、特許文献６では、少量の液体試料を採取する手法については言及されているものの、検出感度の向上という観点から更なる改善が望まれている。
【０００８】
そこで、本発明は、少量の液体試料を生体から直接採取して充分な検出結果を得ることができ、且つ生体に直接接触しても衛生面での問題がなく、生体への負担を少なくすることが可能な検出装置及び検出方法を提供することを目的とする。
【０００９】
また、ストリップ形状の検出装置には標的物質を特異的に検出するために球状金コロイドで標識された抗体を用いることが一般的である。特許文献７で、球状の金コロイドを用いた場合、検出部には金コロイドに基づく赤いラインが形成される。しかしながら、目視による診断であるため、判定ラインが見えにくい、ラインの形成までに時間がかかる等の問題がある。白金コロイドを標識することも考えられるが、平均粒径が小さいために発色が不十分である問題がある。
【００１０】
本発明は、さらに、一般的に使用される球状金コロイドよりも視認性に優れ、診断時間の短縮を可能とした検出装置及び検出方法を提供することを目的とし、これを提案する。
【課題を解決するための手段】
【００１１】
前記課題を解決するために試行錯誤を重ねた結果、特定の形状の金コロイドを標識した抗体を標識試薬とすることで上記課題を達成できることを見出し、本発明を提案することになった。すなわち、本発明は、液体試料中の被検出物質を検出するストリップ形状の検出装置であって、生体から液体試料を直接採取する採取部材と、被検出物質と特異的に結合する標識試薬を含み、その標識試薬が液体試料の移動と共に移動することができる状態で保持されている保持部材と、被検出物質と特異的に結合することにより被検出物質と標識試薬との結合体を捕捉する検出試薬を含み、その検出試薬が固定されている検出部材と、液体試料を吸収可能な吸収部材と、液不透過性の支持部材を備え、採取部材、保持部材、検出部材及び吸収部材は、これらの部材の中を液体試料が毛細管現象によりこの順序で移動するように、支持部材上で検出装置の長手方向に配列されており、保持部材に用いられている標識試薬が、マルチポッド状の金コロイドであり、保持部材が検出部材の一部と重なり合う部分を有する、検出装置である。
【００１２】
さらに、上記検出装置において、生体から液体試料を直接採取する採取部材が、液体試料の移動方向における上流側に、支持部材からはみ出して突出する突出部分を含むことにより、採取部材を生体の試料採取部位に接触させる場合に、その突出部分のみを当該部位に接触させることができ、支持部材等の他の部材が当該部位に接触することを回避できる。その結果、生体が感じる痛み等の苦痛及び各試薬との接触による生体の健康被害を充分に低減できる。また、突出部分が平らな面を有することにより、上記苦痛は更に低減される。
【００１３】
さらに、上記検出装置が液不透過性の支持部材を備えることにより、採取した液体試料が採取部材、保持部材及び検出部材の裏面から漏出することを充分に防止することができる。液不透過性の支持部材は、液体試料の裏面からの漏出防止の観点から検出部材の下面及び吸収部材の下面に備えられていることが好ましく、さらに液体試料の逆流を防ぐ観点から、保持部材の下流側にも支持部材が備えられていることが好ましい。このような構成により、液体試料が少量であっても被検出物質の検出が可能となるので、試料採取部位に採取部材を接触させる時間を短くすることができる。
【００１４】
さらに、保持部材が検出部材の一部と重なり合う部分を有し、その重なり合う部分の長手方向に沿った長さが、保持部材のうち標識試薬が保持されている部分の長手方向に沿った長さ以上であることにより、好ましくは標識試薬が保持されている部分の長手方向に沿った長さより長いことにより、保持部材と検出部材との接触面積が大きくなるため、液体試料が保持部材から検出部材へ毛細管現象により移動しやすくなり、液体試料の移動速度が速まるため、検出時間が短縮され、例えばドライアイ患者等の様な液体試料の少ない場合の生体への負担が軽減される。これらの部材は、保持部材が検出部材の上になるように重なり合っていることがより好ましい。これにより、その重なり合う部分で上下方向の毛管流が生じるため、液体試料が保持部材から検出部材へ毛細管現象により一層移動しやすくなる。また、液不透過性の支持部材は、その重なり合う部分の下面に備えられていることが好ましく、重なり合う部分の上流側少なくとも５ｍｍまで備えられていることがより好ましい。これにより、液体試料の漏出が一層有効に抑制される。
【００１５】
このような構成を有することにより、上記検出装置は、液体試料を生体から直接採取して充分な検出結果を得ることができ、且つ生体への負担を少なくすることができる。
【００１６】
採取部材及び保持部材は、単一の繊維基材を共有していることが好ましい。この場合、繊維基材の上記移動方向における下流側の端部に標識試薬が保持されることにより、保持部材が形成される。このように採取部材と保持部材とが一体化して、単一の繊維基材を用いることにより、装置構成が簡略化されて製造上の工程及びコスト削減ができ、また、液体試料が採取部材から保持部材へ毛細管現象により移動しやすくなる。
【００１７】
上記のように採取部材及び保持部材が単一の繊維基材を共有する検出装置においては、上記繊維基材は検出部材の一部と重なり合う部分を有するが、その重なり合う部分の長手方向に沿った長さは、繊維基材のうち標識試薬が保持されている部分の長手方向に沿った長さ以上であることが好ましく、標識試薬が保持されている部分の長手方向に沿った長さより長いことがより好ましい。これにより、繊維基材と検出部材との接触面積が大きくなるため、液体試料が繊維基材から検出部材へ毛細管現象により移動しやすくなり、液体試料の移動速度が速まるため、検出時間が短縮され、ドライアイ患者等の生体への負担が軽減される。その際、繊維基材が検出部材の上になるように重なり合っていることがより好ましい。これにより、その重なり合う部分で上下方向の毛管流が生じるため、液体試料が繊維基材から検出部材へ毛細管現象により一層移動しやすくなる。
前記重なり合う部分の、長手方向に沿った長さが３〜５ｍｍであると好ましい。
【００１８】
採取部材、保持部材及び検出部材の、上記長手方向に直交する方向における最大幅は、０．８ｍｍ〜３ｍｍであることが好ましい。この幅が３ｍｍよりも大きいと、検出に必要な液体試料の量が多くなり、充分な量の液体試料を採取できなくなる傾向がある。一方、上記幅が０．８ｍｍよりも小さいと、検出部材上で標識試薬による捕捉発色を確認し難くなる傾向がある。
【００１９】
検出部材は、標識試薬と特異的に結合する対照試薬を更に含むことが好ましい。対照試薬は、検出試薬よりも上記下流側に固定されている。対照試薬が、検出試薬よりも下流側において、液体試料の移動と共に移動してきた標識試薬と結合することにより、検出に充分な量の液体試料が採取されたことを確認することができる。
【００２０】
検出部材の一部は、吸収部材の一部と互いに重なり合っていることが好ましい。検出部材と吸収部材との重なり部分は、どちらが上でも構わないが、吸収部材が上になるように互いに重なり合っていることが好ましい。検出部材の一部が吸収部材の一部と重なり合っている場合、液不透過性の支持部材は、その重なり部分の下面に備えられていることが好ましく、重なり部分の下流側少なくとも５ｍｍまで備えられていることがより好ましく、下流側少なくとも１０ｍｍまで備えられていることがより一層好ましい。
【００２１】
上記突出部分の長さは、５ｍｍ以上であることが好ましい。突出部分の長さが５ｍｍ未満であると、生体から液体試料を採取する際に、検出装置の採取部材以外の部材が生体に触れやすくなり、生体に苦痛を与える可能性がある。特に、液体試料が涙液である場合には、突出部分を生体の下結膜円蓋に挿入し、下目蓋の外縁部で折り曲げて、検出装置を鉛直方向に垂らした状態で涙液を採取する際に、突出部分には充分な長さが必要とされる。
【００２２】
検出装置は、第１の接着部材を更に備えることが好ましい。第１の接着部材は、採取部材の上記下流側の端部、保持部材、及び検出部材の上記上流側の端部の、支持部材とは反対側の表面に接着し、その接着面とは反対側に非接着面を有する。
【００２３】
上記第１の接着部材は、採取部材、保持部材及び検出部材を接着することにより、これらの部材が互いに剥離することを防止し、検出装置の強度を高めることができる。また、第１の接着部材は、上記部材の表面を被覆することにより、これらの部材からの液体試料の揮発を防止し、より少ない採取量で充分な検出結果を得ることを可能とする。さらに、第１の接着部材は、上述の部材を上から押さえつけるように被覆することにより、液体試料の毛細管現象による移動を促進する。
【００２４】
上記検出装置は、第２の接着部材を更に備えることが好ましい。第２の接着部材は、検出部材の上記下流側の端部、吸収部材、及び支持部材の上記下流側の端部を挟み込むように接着し、その第２の接着部材は、上記各部材に接着する接着面とは反対側に非接着面を有する。第２の接着部材における上記下流側の端部には、第２の接着部材の折り返し部分において第２の接着部材同士が接着することにより、ツマミ部分が形成されていることが好ましい。
【００２５】
上記第２の接着部材は、検出部材、吸収部材及び支持部材を接着することにより、これらの部材が互いに剥離することを防止し、検出装置の強度を高めることができる。特に、これらの部材を下流側から挟み込むように接着することにより、第２の接着部材は効果的に検出装置の構造を強化することができる。また、第２の接着部材が吸収部材の表面を被覆し、外側の表面（接着面とは反対側の面）が非接着性であることにより、検出装置の下流側の端部を手に取って用いる使用者の手を汚さずに済むという利点もある。特に、使用者が上記ツマミ部分を持って検出装置を用いる場合には、試薬等が使用者の手に触れる可能性がより低くなり、安全に用いることができる。すなわち、第２の接着部材は、検出装置の持ち手部分として機能する。
【００２６】
支持部材は、検出部材の裏打ちを兼ねる第１の支持体と、第１の支持体の検出部材とは反対側に設けられた第２の支持体とを含むことが好ましい。このように支持部材が複数の支持体を含むことによって、検出装置の構造が更に強化され、また、検出部材等からの液体試料の漏出又は揮発を防止する効果も高まる。
【００２７】
第２の支持体が、第１の支持体と重なる部分で前記長手方向に分離していると好ましい。第２の支持体が分離していることによって、第２の支持体の配置パターンを変えて検出装置の長さを容易に調節することができ、製造上のバリエーションが得られる。なお、第２の支持体が第１の支持体上以外で分離する場合には、液体試料が装置の外部に漏出しやすくなる。第２の支持体は、液体試料の裏面からの漏出防止の観点から吸収部材の下面に備えられていることが好ましく、裏面からの漏出防止に加えて液体試料の逆流を防ぐ観点から、保持部材の下流側に備えられていることがより好ましい。保持部材の一部と検出部材の一部が重なり合っている場合、第２の支持体は、その重なり部分の下面に備えられていることが好ましく、重なり部分の上流側少なくとも５ｍｍまで備えられていることがより好ましい。また、検出部材の一部が吸収部材の一部と重なり合っている場合、第２の支持体は、その重なり部分の下面に備えられていることが必要で、重なり部分の下流側少なくとも５ｍｍまで備えられていることがより好ましく、下流側少なくとも１０ｍｍまで備えられていることがより一層好ましい。これらにより、液体試料の漏出が一層有効に抑制される。
【００２８】
支持部材は、標識試薬による捕捉発色を強調する機能を有することが好ましい。これにより、検出部材上での上記捕捉発色の確認が容易となり、被検出物質の検出を容易に行うことができる。
【００２９】
支持部材が上述のような機能を有しない場合、検出装置は、支持部材の検出部材とは反対側に、標識試薬による捕捉発色を強調する機能を有する背景部材を更に備えることが好ましい。このような背景部材を備えることにより、検出部材上での捕捉発色の確認が容易となり、被検出物質の検出を容易に行うことができる。なお、捕捉発色とは、被検出物質又は対照試薬に結合した（捕捉された）標識試薬の標識が、検出試薬固定部又は対照試薬固定部で発色することにより確認できる、その発色（検出ライン）をいう。捕捉発色を強調する観点からは、背景部材が白色であると検出ラインが見やすくなるので、より好ましい。
【００３０】
背景部材は、支持部材側に接着面を有する紙製のテープであることが好ましい。背景部材が紙製のテープであることによって、背景部材の支持部材とは反対側の表面に、検出試薬又は対照試薬が固定されている位置を示す目印を、着色等により容易に付すことができる。また、支持部材が複数の支持体を含む場合には、背景部材がこれらの支持体同士を接着することにより、検出装置を補強することができる。
【００３１】
また、背景部材が紙製である場合、支持部材が背景部材よりも上記上流側に２ｍｍ以上延在することが好ましい。このように支持部材が背景部材よりも延在していない場合、又は延在する部分が２ｍｍ未満である場合には、採取部材中の液体試料が背景部材に浸透する可能性がある。背景部材に液体試料が浸透すると、バックグラウンドが上昇したり検出装置が縒れたりして、捕捉発色を確認し難くなる傾向がある。また、液体試料が採取部材から背景部材に浸透すると、その分、保持部材や検出部材に移動する液体試料の量が減少するため、感度が低下し、充分な検出結果を得られなくなる傾向がある。
【００３２】
検出装置の質量は、０．８ｇ以下であることが好ましい。上記質量が０．８ｇよりも重いと、例えば、液体試料が涙液であり、生体の下結膜円蓋から検出装置を鉛直方向に垂らして涙液を採取する場合に、検出装置がそれ自体の重さによって落下してしまったりする。
【００３３】
検出装置は、生体がヒトであり、液体試料が涙液である場合に、特に有用である。一般に、涙液の採取に伴う被検者の負担は大きい。特に、被検者がドライアイを患う場合には、被検者に苦痛を与える上に、１０μＬ未満といった極めて少量の涙液しか採取できない傾向がある。しかし、上記検出装置を用いれば、そのような被検者にも過度な負担を強いることなく涙液を採取することができ、涙液採取量が１０μＬ未満であっても、充分な検出結果を得ることができる。
【００３４】
また、検出装置は、被検出物質がＩｇＥ抗体である場合に、特に有用である。この場合、標識試薬は、ＩｇＥ抗体を抗原とする抗体を標識物質により標識したものであり、検出試薬は、標識試薬が有する抗体とは異なる認識部位を含む、ＩｇＥ抗体を抗原とする抗体であり、対照試薬は、標識試薬が有する抗体を抗原とする抗体である。かかる検出装置により生体由来の液体試料中のＩｇＥ抗体を検出することによって、生体が花粉症等のアレルギーを発症しているか否かの判定を容易に行うことができる。
【００３５】
別の側面において、本発明は、上記検出装置を用いて液体試料中の被検出物質を検出する検出方法に関する。
【００３６】
この検出方法によれば、生体に過度の負担を与えることなく、安全に生体から液体試料を直接採取して充分な検出結果を得ることができる。
【発明の効果】
【００３７】
本発明によれば、少量の液体試料を生体から直接採取して充分な検出結果を得ることができ、且つ、生体に直接接触しても衛生面で問題がなく、かつ液体試料の展開時間が短縮できるので、生体への負担を少なくすることが可能な検出装置及び検出方法を提供することが可能となる。
【００３８】
本発明に係る検出装置においては、保持部材に用いる標識試薬としてマルチポッド状の金コロイドを用いる。マルチポッド状金コロイドは、一般的に用いられる球状金コロイドと比較して表面積が大きいため、同一面積上に被検出物質と反応する試薬（被検出物質と特異的に結合する試薬）をより多く提示することが可能である。多くの試薬を提示された標識金コロイドは、検出部材上の検出試薬との反応性が向上することで短時間での被検出物質の検出が可能となる。
【図面の簡単な説明】
【００３９】
【図１】本発明に係る検出装置の一実施形態を示す側面端面図である。
【図２】本発明に係る検出装置の一実施形態を示す側面端面図である。
【図３】本発明に係る検出装置の一実施形態を示す側面端面図である。
【図４】本発明に係る検出装置の一実施形態を示す側面端面図である。
【図５】本発明に係る検出装置の一実施形態を示す側面端面図である。
【図６】本発明に係る検出装置の一実施形態を示す側面端面図である。
【図７】マルチポッド状金コロイドのＵＶ−vis（可視）スペクトルである。
【図８】実施例５と比較例５の検出装置での測定結果を示す写真。
【発明を実施するための形態】
【００４０】
以下、必要に応じて図面を参照しつつ、本発明を実施するための最良の形態について詳細に説明する。ただし、本発明は以下の実施形態に限定されるものではない。なお、図面中、同一要素には同一符号を付すこととし、重複する説明は省略する。また、図面の寸法比率は図示の比率に限られるものではない。
【００４１】
図１は、本発明に係る検出装置の一実施形態を示す側面端面図である。図１に示す検出装置１は、ヒトの涙液（液体試料）中のＩｇＥ抗体（被検出物質）を検出するためのものである。検出装置１は、例えば幅が約１．５ｍｍ、長さが約５７ｍｍのストリップ形状（帯又は短冊のような細長い形状）をなしており、質量は約０．０３２ｇである。検出装置１は、採取部材１０と、保持部材１２と、検出部材１４と、吸収部材１６と、支持部材１８と、第１の接着部材２０ａと、第２の接着部材２０ｂと、背景部材２２とを備える。採取部材１０、保持部材１２、検出部材１４及び吸収部材１６は、これらの部材の中を涙液が毛細管現象によりこの順序で移動するように、支持部材１８上で検出装置１の長手方向に配列されている。
【００４２】
採取部材１０は、例えばポリエステル、パルプ不織布等の繊維基材からなり、エチレンオキサイドガス処理を施した繊維基材からなる。採取部材１０は、涙液の移動方向における上流側（以下、単に「上流側」という。）に支持部材１８からはみ出して突出する突出部分１０ａと、それ以外の部分である非突出部分１０ｂとを含む。突出部分１０ａは、支持部材１８、第１の接着部材２０ａ等の他の部材によって被覆されずに露出している。また、突出部分１０ａはストリップ形状をしており、端部に平らな面を有する。突出部分１０ａの長さは好適には５ｍｍ以上である。
【００４３】
検出装置１を用いてヒトの涙液を採取する際には、突出部分１０ａを、被検者の下結膜円蓋に挿入し、検出装置を鉛直方向に垂らした状態で涙液の採取を行う。このとき、突出部分１０ａがポリエステル、パルプ不織布等の繊維基材からなることにより、涙液を吸収しやすくなる。また、かかる繊維基材は刺激の弱い素材であるため、突出部分１０ａが眼球に触れた場合にも、被検者に痛み等の苦痛を与え難い。さらに、突出部分１０ａがストリップ形状であることにより一連の操作が容易になり、特に、突出部分１０ａが平らな面を有し、その面で試料採取部位と接触することにより、被検者の苦痛を更に低減することができる。また、突出部分１０ａの長さが５ｍｍ以上であることにより、採取部材１０以外の部材が被検者の眼球等に触れることを防止できる。
【００４４】
採取部材１０に吸収された涙液は、次に、毛細管現象により保持部材１２へ移動する。
保持部材１２は、ポリエステル、パルプ不織布等の繊維基材と、ＩｇＥ抗体と特異的に結合する標識試薬とを含む。この標識試薬は、ＩｇＥ抗体を抗原とする抗体を、マルチポッド状の金コロイド（標識物質）により標識したものである。標識試薬は、涙液に溶出して涙液の移動と共に移動することができる状態で、繊維基材に保持されている。標識試薬は、保持部材１２及び検出部材１４中を涙液の移動と共に移動する過程で、涙液中のＩｇＥ抗体と結合し、ＩｇＥ抗体と標識試薬との結合体を形成する。
【００４５】
保持部材１２中の標識物質としては、マルチポッド状の金コロイド以外に、ロッド状、キュービック状等の異方成長の金コロイドを被検出物質と特異的に結合する試薬に標識することが望ましい。これら粒子は、核コロイドが等方伸長し、形成される球状の金コロイドに対し、局在表面プラズモン共鳴に由来する吸収が高波長領域に位置するため、赤色以外にも青色、褐色、黒色といった視認性の高い発色粒子を合成方法により選択することができる。
【００４６】
図１に示す検出装置１においては、保持部材１２は採取部材１０と単一の繊維基材を共有し、その繊維基材の涙液の移動方向における下流側（以下、単に「下流側」という。）の端部に標識試薬が保持されることにより、保持部材１２が形成されている。このように採取部材１０と保持部材１２とが一体化していることにより、検出装置１の強度を高めることができる。また、単一の繊維基材を用いることにより、液体試料が採取部材１０から保持部材１２へ毛細管現象により移動しやすくなる。採取部材１０と保持部材１２とが一体化していない場合には、検出装置１の強度を維持するために、両部材の一部同士を互いに重なり合わせることが好ましいが、そうすると、両部材の合計体積が大きくなりやすい。その点、図１に示す検出装置１においては、一体化により両部材の合計体積を小さくすることができ、ひいては、涙液が浸透する体積を小さくすることができるため、より少ない採取量で充分な検出結果を得ることが可能となる。
【００４７】
採取部材１０及び保持部材１２が共有する上記繊維基材は、検出部材１４の一部と重なり合う部分を有し、その重なり合う部分の長手方向に沿った長さは、標識試薬が保持されることにより形成されている保持部材１２の長手方向に沿った長さ以上である。すなわち、標識試薬が保持されている部分の長手方向に沿った長さ以上である。なお、検出装置１においては、上記繊維基材が検出部材１４の上になるように重なり合っている。これにより、その重なり部分で上下方向の毛管流が生じるため、液体試料が採取部材１０及び保持部材１２から検出部材１４へ毛細管現象により移動しやすくなる。
【００４８】
液体試料の検出部材への移動速度が速くなると、少ない液量の液体試料でも、より短時間で測定が終了できるので、ドライアイ患者等への生体への負担が軽減される。このような観点からは、上記繊維基材と検出部材１４とが重なり合う部分の長手方向に沿った長さは、標識試薬が保持されている部分（保持部材１２）の長手方向に沿った長さより長いことがより好ましい。一方、上記重なり合う部分の長さが長いと、液不透過性の支持部材を長くしたり、重ね合わせ部を剥がれにくいようにより長い接着テープで固定するといった製造上の制約が増加する。このような観点からは、上記繊維基材と検出部材１４とが重なり合う部分の長手方向の長さは、６ｍｍ以下であることが好ましく、５ｍｍ以下であることがより好ましい。前記観点から、重なり合う部分の、長手方向に沿った長さが３〜５ｍｍであると好ましい。
【００４９】
検出部材１４は、ニトロセルロース膜１４ｃと、それに固定されている検出試薬及び対照試薬とを含む。検出試薬は、ニトロセルロース膜１４ｃ上の検出試薬固定部１４ａで、検出装置１の長手方向に直交する線状に固定されている。検出試薬は、ＩｇＥ抗体に対する認識部位を含みＩｇＥ抗体と特異的に結合する抗体であって、上記標識試薬が有する抗体とは異なる認識部位を含む。検出試薬は、ＩｇＥ抗体と特異的に結合することにより、上記ＩｇＥ抗体と標識試薬との結合体を捕捉する。このように、検出試薬が上記結合体を捕捉することにより、検出試薬固定部１４ａに標識物質に由来する色（例えば、標識物質として球状金コロイドを用いた場合には赤色、マルチポッド状コロイドを用いた場合青色）のラインが現れ、このラインを目視確認することにより、涙液中にＩｇＥ抗体が存在することを判定することができる。
【００５０】
対照試薬は、ニトロセルロース膜１４ｃ上の検出試薬固定部１４ａよりも下流側に位置する対照試薬固定部１４ｂで、上記長手方向に直交する線状に固定されている。対照試薬は、標識試薬が有する抗体を抗原とする抗体である。対照試薬が、移動してきた涙液中の標識試薬を捕捉することにより、対照試薬固定部１４ｂに標識物質に由来する色のラインが現れ、このラインを目視確認することにより、対照試薬固定部１４ｂまで涙液が移動したこと、すなわち、検出に充分な量の涙液が採取できたことを判定することができる。
【００５１】
吸収部材１６は、セルロース等の、涙液を吸収可能な素材からなる。吸収部材１６は、検出部材１４から毛細管現象により移動してきた涙液や標識試薬を吸収する。また、涙液採取後、採取部材１０を精製水等の展開液に浸して涙液を展開する際に、吸収部材１６が展開液を吸収することにより、展開液の展開が円滑に行われる。すなわち、吸収部材１６は、展開液の逆流防止機能を有する。また、吸収部材１６は、展開液によって洗い流された夾雑物を検出部材１４から除去する機能をも有する。
【００５２】
支持部材１８は、ＰＥＴ(ポリエチレンフタレート)等の液不透過性の素材からなる。支持部材１８は、第１の支持体１８ａと第２の支持体１８ｂとを含む。第１の支持体１８ａは、好ましくは検出部材１４と同一の長さ及び幅を有し、検出部材１４の裏打ちを兼ねる。第１の支持体１８ａは、検出装置１の構造を強化し、検出装置１が操作中に縒れたり曲がったりすることを防止する。また、第１の支持体１８ａが液不透過性の素材からなることにより、検出部材１４中の涙液が第１の支持体１８ａに浸透することなく、検出部材１４中を上記長手方向に移動することができる。
【００５３】
第２の支持体１８ｂは、例えばＰＥＴ等からなる透明接着フィルムであるが、これに代えて非透明性の接着フィルム等であってもよい。第２の支持体１８ｂは、第１の支持体１８ａの検出部材１４とは反対側に設けられており、第１の支持体１８ａと重なる部分で、上記長手方向に好適には約５ｍｍ離れるように分離している。また、第２の支持体１８ｂは、背景部材２２よりも上流側に２ｍｍ以上延在していることが好ましい。
【００５４】
第２の支持体１８ｂは、第１の支持体１８ａ側に接着面を有し、採取部材１０、保持部材１２及び検出部材１４、並びに検出部材１４及び吸収部材１６に接着することにより、検出装置１を補強している。第２の支持体１８ｂが液不透過性の素材からなることにより、採取部材１０及び保持部材１２中の涙液が、第２の支持体１８ｂに浸透することなく、各部材中を上記長手方向に移動することができる。また、吸収部材１６から第２の支持体１８ｂに涙液や展開液が浸透して検出装置１の外部に漏出し、使用者の手を汚すようなこともない。さらに、液不透過性の素材からなる第２の支持体１８ｂが、背景部材２２よりも上流側に２ｍｍ以上延在していることによって、背景部材２２に液が浸透することを防止できる。第２の支持体１８ｂは、涙液の漏出を抑制する観点から、採取部材１０及び保持部材１２からなる繊維基材と検出部材１４とが重なり合う部分の下面に備えられていることが好ましく、当該重なり合う部分の上流側少なくとも５ｍｍまで備えられていることがより好ましい。
【００５５】
また、第２の支持体１８ｂが上記長手方向に分離していることによって、第２の支持体１８ｂの配置パターンを変えて検出装置１の長さを容易に調節することができ、製造上のバリエーションが得られる。なお、第２の支持体１８ｂが第１の支持体１８ａと重なる部分以外で分離する場合には、涙液等が検出装置の外部に漏出する可能性がある。
【００５６】
第１の接着部材２０ａ及び第２の接着部材２０ｂは、例えば紙製の粘着テープからなる。第１の接着部材２０ａは、接着面を有し、その接着面で採取部材１０の下流側の端部（すなわち非突出部分１０ｂ）、保持部材１２、及び検出部材１４の上流側の端部の、支持部材１８とは反対側の表面に接着している。また、第１の接着部材２０ａは、その接着面とは反対側に非接着面を有する。
【００５７】
第１の接着部材２０ａは、採取部材１０、保持部材１２及び検出部材１４を接着することにより、これらの部材が互いに剥離することを防止し、検出装置１の強度を高めている。また、第１の接着部材２０ａは、これらの部材の表面を被覆することにより、これらの部材からの涙液の揮発を防止し、より少ない採取量で充分な検出結果を得ることを可能とする。さらに、第１の接着部材２０ａは、これらの部材を上から押えつけるように被覆することにより、涙液の毛細管現象による移動を促進する。また、検出装置１の外側に非接着面を有することにより、使用者が手に取って用いる際に持ち手（取っ手）部分を提供する。
【００５８】
第２の接着部材２０ｂは、接着面を有し、その接着面で検出部材１４の下流側の端部、吸収部材１６、及び第２の支持体１８ｂの下流側の端部を、下流側から挟み込むように接着している。また、第２の接着部材２０ｂは、その接着面とは反対側に非接着面を有し、さらに、下流側の端部に、ツマミ部分２０ｂ´を有している。ツマミ部分２０ｂ´は、第２の接着部材２０ｂの折り返し部分において、第２の接着部材２０ｂ同士が接着することにより形成されている。
【００５９】
第２の接着部材２０ｂは、検出部材１４、吸収部材１６及び第２の支持体１８ｂを接着することにより、これらが互いに剥離することを抑制し、検出装置１の強度を高めている。特に、これらを下流側から挟み込むように接着することにより、第２の接着部材２０ｂは効果的に検出装置１の構造を強化することができる。また、第２の接着部材２０ｂが吸収部材１６の表面を被覆し、外側に非接着面を有することにより、検出装置１の下流側の端部を手に取って用いる使用者の手を汚さずに済むという利点もある。特に、使用者がツマミ部分２０ｂ´を持って用いる場合には、より安全に用いることができる。すなわち、第２の接着部材２０ｂは、検出装置１の持ち手（取っ手）部分として機能する。
【００６０】
背景部材２２は、支持部材１８の検出部材１４とは反対側に設けられている。背景部材２２は、例えば支持部材１８側に接着面を有する白色の紙製テープ（事務用シール紙等）である。背景部材２２の支持部材１８とは反対側の表面には、検出試薬固定部１４ａ及び対照試薬固定部１４ｂの位置を示す目印が、着色により付してある。
【００６１】
白色の背景部材を備えることにより、マルチポッド状金コロイドによる捕捉発色が強調される。
また、検出試薬固定部１４ａ及び対照試薬固定部１４ｂの位置が示されていることにより、それぞれの位置におけるラインの発色の確認が容易になる。さらに、背景部材２２が接着面を有することにより、その接着面で第１の支持体１８ａ及び第２の支持体１８ｂを接着し、検出装置１の構造を強化している。
【００６２】
ただし、背景部材２２が紙製である場合、背景部材２２に涙液等の液体が浸透すると、バックグラウンドが上昇したり検出装置が縒れたりして標識試薬による捕捉発色の確認がし難くなることや、検出部材１４に移動する涙液の量が減少し、充分な検出結果が得られなくなることがあり得る。このような事態を生じ難くするために、第１の支持体１８ａは、背景部材２２よりも上流側に２ｍｍ以上延在していることが好適である。
【００６３】
検出装置１は、例えば、以下の（１）〜（７）のような工程を含む製造方法により製造することができる。
（１）シート状のパルプ不織布の端部に標識試薬を保持させる（採取部材１０及び保持部材１２の形成）。
（２）シート状のＰＥＴ（第１の支持体１８ａ）上にニトロセルロース膜１４ｃをラミネートにより形成する。
（３）ニトロセルロース膜１４ｃ上に検出試薬及び対照試薬を線状に塗布し、固定させる（検出部材１４の形成）。
（４）採取部材１０、保持部材１２及び第１の支持体１８ａを、透明接着フィルム（第２の支持体１８ｂ）で接着する。さらに、採取部材１０、保持部材１２及びニトロセルロース膜１４ｃを、紙製の接着テープ（第１の接着部材２０ａ）により接着する。
（５）第１の支持体１８ａと、セルロースからなる吸収部材１６とを、透明接着フィルム（第２の支持体１８ｂ）で接着する。さらに、その第２の支持体１８ｂ、吸収部材１６及びニトロセルロース膜１４ｃを、紙製の接着テープ（第２の接着部材２０ｂ）により接着する。
（６）第１の支持体１８ａ、第２の支持体１８ｂ及び第２の接着部材２０ｂに、事務用シール紙（背景部材２２）を接着する。
（７）このようにして形成した多層構造カードを、幅１．５ｍｍのストリップ状に切断する。
【００６４】
本発明は、上記実施形態に限定されるものではなく、本発明の趣旨を逸脱しない限り、適宜上記実施形態を変形することが可能である。
【００６５】
例えば、図２に示されるように、第２の支持体１８ｂは分離していなくてもよい。この場合、検出装置１の長さ調節を容易にすることはできなくなるが、検出装置１の構造をより強化することができる。また、図２に示されるように、第２の接着部材２０ｂが、その接着面において背景部材２２と接着していてもよい。この場合は、背景部材２２を第２の支持体１８ｂに接着した後に、第２の接着部材２０ｂの接着を行う。
【００６６】
図３に示されるように、支持部材１８が一体として形成されていてもよい。また、図４に示されるように、検出装置１が背景部材２２を備えなくてもよい。この場合、支持部材１８は、標識試薬による捕捉発色を強調する機能を有することが好ましい。すなわち、支持部材１８は透明ではなく、白色等の、上記捕捉発色の目視確認を容易にする色であることが好ましい。
【００６７】
図５に示されるように、吸収部材１６が支持部材１８よりも下流側に延在していてもよい。さらに、図６に示されるように、採取部材１０と保持部材１２とが一体化しておらず、別々の繊維基材からなっていてもよい。この場合、採取部材１０の一部が保持部材１２の一部と互いに重なり合っていることが好ましい。これにより、構造が強化され、涙液が採取部材１０から保持部材１２へ毛細管現象により移動しやすくなる。
【００６８】
また、図６に示されるように、検出装置１が第１の接着部材２０ａ及び第２の接着部材２０ｂを備えなくてもよい。この場合、支持部材１８は、接着面を有し、その接着面で各部材同士を接着できるものであることが好ましい。
【実施例】
【００６９】
以下、実施例を挙げて本発明についてより具体的に説明する。ただし、本発明は以下の実施例に限定されるものではない。
【００７０】
図１に示す検出装置において、保持部材１２中に含まれる標識試薬として用いたＩｇＥ抗体を抗原とする抗体（抗ヒトＩｇＥ抗体）標識マルチポッド状金コロイドは以下の実施例のように調製した。
【００７１】
（実施例１）マルチポッド状金コロイドの調製
１）スクリュー管（５．０ｍＬ）に超純水４．１ｍＬ、０．６Ｍ、ｐＨ ７．２に調製されたＨＥＰＥＳ（２-［４-（２-ｈｙｄｒｏｘｙｅｔｈｙｌ）-１-ｐｉｐｅｒａｚｉｎｙｌ］eｔｈａｎｅ ｓｕｌｆｏｎｉｃ ａｃｉｄ（ナカライテスク株式会社）緩衝液８３０μＬ、０．１Ｍ塩化金酸（Ｓｉｇｍａ-Ａｌｄｒｉｃｈ社製）２５μＬを順に加え、すばやく攪拌後室温（２５℃）で静置した。
２）２時間反応容器を静置させ、ＯＤ６８０の吸収が一定になったことを確認した。
３）調製後の金コロイドはマルチポッド状で、濃い青緑色であった。
調製後の金コロイドのＵＶ-ｖｉｓスペクトルの結果を図７に示した。
なお、上記調製法は、Ｃｈｅｍ． Ｍａｔｅｒ． ２００７、 １９， ２８２３−２８３０．を参考にした。
【００７２】
（実施例２）マルチポッド状金コロイド標識抗ＩｇＥ抗体溶液の調製
１）実施例１に従って調製したマルチポッド状金コロイド３０ｍＬを５０ｍＬ遠沈管に移し、遠心機で９０００ｒｐｍ、５分間遠心した。
２）マルチポッド状金コロイドが沈殿したのを確認し、上澄み液約２９ｍＬを回収した。
３）２０ｍＭほう酸緩衝液(ｐＨ９)（和光純薬工業株式会社）でＯＤ６８０＝１.６になるように希釈した。
４）抗ヒトＩｇＥ抗体溶液を所定濃度（提示可能な抗体量に関しては実施例３で述べる）を加え、６０ｒｐｍ、１５分間振とうさせた。
５）４）の溶液に１質量％ＰＥＧ（ポリエチレングリコール、分子量２００００和光純薬工業株式会社）、１０質量％ＢＳＡ（Bovine serum albumin、Ｓｉｇｍａ社製）を添加し、６０ｒｐｍ、１５分間振とうさせた。
６）５）の溶液を１０℃、９０００ｒｐｍ、１５分間遠心沈殿させる。
７）６）の上澄み採取後、ブロッキング液（１０質量％ＢＳＡ含有）で再分散させた。
８）６）、７）を２回繰り返し、最終的にＯＤ６８０＝１６に調製した。
【００７３】
（比較例１）
球状金コロイドには田中貴金属株式会社製、クエン酸金コロイド（４０ｎｍ）を購入し、用いた。
【００７４】
（比較例２）球状金コロイド標識抗ＩｇＥ抗体溶液の調製
１）球状金コロイド３０ｍＬを５０ｍＬ遠沈管に写し、遠心機で１０００ｒｐｍ、５分間遠心した。
２）球状金コロイドが沈殿したのを確認し、上澄み液約２９ｍＬを回収した。
３）２０ｍＭほう酸緩衝液(ｐＨ９)（和光純薬工業株式会社）でＯＤ５２０＝１.６になるように希釈した。
４）抗ヒトＩｇＥ抗体溶液を所定濃度（提示可能な抗体量に関しては実施例３で述べる）を加え、６０ｒｐｍ、１５分間振とうさせた。
５）４）の溶液に１質量％ＰＥＧ（分子量２００００和光純薬工業株式会社）、１０質量％ＢＳＡ（Ｓｉｇｍａ社）を添加し、６０ｒｐｍ、１５分間振とうさせた。
６）５）の溶液を１０℃、１００００ｒｐｍ、１５分間遠心沈殿させる。
７）６）の上澄み採取後、ブロッキング液（１０質量％ＢＳＡ含有）で再分散させた。
８）６）、７）を２回繰り返し、最終的にＯＤ５２０＝１６に調製した。
【００７５】
（実施例３及び比較例３）マルチポッド状金コロイド及び球状金コロイドの最小被覆タンパク量の算出
１）遠心沈殿したマルチポッド状金コロイド及び球状金コロイドをそれぞれ減圧乾燥させ１ｍｇを得た。
２）各コロイドを熱重量分析（ＴＧＡ）することにより、金コロイド表面の有機物の質量より、抗体タンパク量を算出し、最小被覆タンパク量を算出した。結果を表１に示した。
【００７６】
【表１】
2013124867.tif 000003
このことから表面積の大きいマルチポッド状金コロイドが、より多くの抗ヒトＩｇＥ抗体を提示できることが明らかとなった。
【００７７】
液体試料として、下記２種を用意した。
・試料１：総ＩｇＥ濃度５．６０（ＩＵ／ｍＬ）
・試料２：総ＩｇＥ濃度２２．７６（ＩＵ／ｍＬ）
【００７８】
（実施例４、比較例４）
図１に示した検出装置それぞれを用いて、上記総ＩｇＥ濃度が異なる２種の液体試料１０μＬについて５回ずつ検出を行い、対照試薬固定部にラインが現れるまでに要した時間（検出時間）を測定した。結果を表２に示した。
【００７９】
【表２】
2013124867.tif 000004
【００８０】
表２に示したように、マルチポッド状の金コロイド標識抗ＩｇＥ抗体を標識試薬として用いた検出装置では、球状金コロイドを用いた検出装置と比較して、試料１、２いずれも検出時間が２分近くまで短縮された。したがってマルチポッド状金コロイド標識抗ＩｇＥ抗体を標識試薬として用いることにより、検出時間が短縮されることが明らかとなった。このことから、より短時間で判定できることで医療従事者、被験者の待ち時間が短縮されるだけでなく、検出感度が向上することで、被検出物質の濃度が低いとされる初期症状の患者であっても診断可能と示唆される。なお陰性検体として生理食塩水（大塚製薬株式会社製）、総ＩｇＥ濃度０（ＩＵ／ｍＬ）の場合、いずれもラインは形成されなかった。
【００８１】
（実施例５、比較例５）
試料１、２を、実施例４及び比較例４の検出装置で検出し、目視観察を行い、検出試薬固定部に青いラインが確認されなかった場合はクラス０（陰性）、検出試薬固定部に対照試薬固定部のラインより薄いラインが認められた場合はクラス１（弱陽性）、検出試薬固定部に対照試薬固定部のラインと同等以上に濃いラインが認められた場合はクラス２（強陽性）と判定した。上記の何れの測定においても、試料１はクラス１（弱陽性）、試料２はクラス１（弱陽性）またはクラス２（強陽性）、生理食塩水はクラス０（陰性）の判定結果が得られた。
結果を図８に示した。図８の写真は上部ラインが対照試薬固定部、下部ラインが検出試薬固定部である。
【００８２】
（参考例１）
＜被検者に与える負担＞
図１に示す検出装置を用いて涙液の採取を行った。採取部材１０及び保持部材１２が共有する単一の繊維基材の下流側が、検出部材１４の上流側と１ｍｍの長さで重なり合っており、球状金コロイドで標識した抗体溶液（ＯＤ５２０＝１６）が２２μＬ／ｃｍの量で繊維基材の下流側の端部に約２．５ｍｍの長さで塗布された検出装置を用意した。被検者がドライアイを患う場合には、検出に充分な量の涙液を採取する時間（涙が出てくるまでの時間）がかかったために、対照試薬固定部に補足発色のラインが現れるまでに５分程度要したが、被検者が負担を感じることなく、涙液を採取することができた。このことから、図１に示す検出装置を用いれば、被検者に負担を与えることなく、検出に充分な量の涙液を被検者から直接採取できることが明らかとなった。
【産業上の利用可能性】
【００８３】
本発明の検出装置及び検出方法は、ヒトの涙液中のＩｇＥ抗体を検出することにより、花粉症等のアレルギー診断に利用することができる。また、本発明の検出装置及び検出方法は、涙液以外にも、鼻汁、血液、傷口滲出液等のあらゆる体液を液体試料とすることが可能であり、その体液中に含まれる抗体や異物を検出することにより、アレルギーや感染症の診断等に用いることができる。また、本発明の検出装置及び検出方法は、検出時間の短縮が可能なため、充分な量の涙液採取が困難であるドライアイ患者等に好適に用いられる。
【符号の説明】
【００８４】
１…検出装置、１０…採取部材、１０ａ…突出部分、１０ｂ…非突出部分、１２…保持部材、１４…検出部材、１４ａ…検出試薬固定部、１４ｂ…対照試薬固定部、１４ｃ…ニトロセルロース膜、１６…吸収部材、１８…支持部材、１８ａ…第１の支持体、１８ｂ…第２の支持体、２０ａ…第１の接着部材、２０ｂ…第２の接着部材、２０ｂ´…ツマミ部分、２２…背景部材。
【図１】
2013124867.tif 000005
【図２】
2013124867.tif 000006
【図３】
2013124867.tif 000007
【図４】
2013124867.tif 000008
【図５】
2013124867.tif 000009
【図６】
2013124867.tif 000010
【図７】
2013124867.tif 000011
【図８】
2013124867.tif 000012